(57)【要約】【課題】 圧電音響素子と圧電振動素子として利用することのできる圧電素子およびこれを備える電子機器を提供する。【解決手段】 第１の圧電板と、第１の圧電板の少なくとも一つの領域と接触される少なくとも１枚の第２の圧電板と、を備え、第１および第２の圧電板は、互いに異なる共振周波数を有し、第１および第２の圧電板に印加される信号に基づいて、圧電音響素子および圧電振動素子の少なくともいずれか一方として働く圧電素子である。【選択図】  図１
2016046802.tif 000002
【特許請求の範囲】
【請求項１】
第１の圧電板と、
前記第１の圧電板の少なくとも一つの領域と接触する少なくとも１枚の第２の圧電板と、
を備え、
前記第１および第２の圧電板は、互いに異なる共振周波数を有する圧電素子。
【請求項２】
前記第１および第２の圧電板は、互いに異なる形状を呈する請求項１に記載の圧電素子。
【請求項３】
前記第１の圧電板は、中央領域が中空の枠状に設けられる請求項２に記載の圧電素子。
【請求項４】
前記第２の圧電板は、前記第１の圧電板の少なくとも一つの領域と接触して前記第１の圧電板の内側領域に設けられる請求項３に記載の圧電素子。
【請求項５】
前記第２の圧電板は、所定の領域に突出部が形成され、前記突出部が前記第１の圧電板の少なくとも一つの領域と接触する請求項４に記載の圧電素子。
【請求項６】
前記第１の圧電板の所定の領域に設けられるダミー板をさらに備え、前記第２の圧電板が前記ダミー板と連結される請求項４に記載の圧電素子。
【請求項７】
前記第１および第２の圧電板の少なくとも一つの領域に設けられるロードをさらに備える請求項４に記載の圧電素子。
【請求項８】
前記第１の圧電板と前記第２の圧電板との間に設けられる振動板をさらに備える請求項４または請求項７に記載の圧電素子。
【請求項９】
第１の圧電板と、前記第１の圧電板の少なくとも一つの領域と接触する少なくとも１枚の第２の圧電板と、を備え、前記第１および第２の圧電板は、互いに異なる共振周波数を有する圧電素子を備え、
前記第１および第２の圧電板に印加される信号に基づいて、圧電音響素子および圧電振動素子の少なくともいずれか一方として働く電子機器。
【請求項１０】
前記電子機器は、移動端末本体から隔てられて移動端末の補助機能を行い、且つ、身体に取り付け可能である請求項９に記載の電子機器。
【請求項１１】
前記第１および第２の圧電板は、互いに異なる形状を呈する請求項１０に記載の電子機器。
【請求項１２】
前記第１の圧電板は、所定の枠状に設けられ、前記第２の圧電板は、前記第１の圧電板の少なくとも一つの領域から前記第１の圧電板の内側領域に形成される請求項１１に記載の電子機器。
【請求項１３】
前記第１および第２の圧電板の少なくとも一つの領域に設けられるロードをさらに備える請求項１２に記載の電子機器。
【請求項１４】
前記第１および第２の圧電板の間に設けられる振動板をさらに備える請求項１２または請求項１３に記載の電子機器。
【発明の詳細な説明】
【技術分野】
【０００１】
本発明は、圧電素子に係り、特に、圧電音響素子と圧電振動素子として利用することのできる圧電素子およびこれを備える電子機器に関する。
【背景技術】
【０００２】
過去の携帯電話端末は、音声、メッセージの送受信などの無線通話機能そのものが主たる目的であったが、最近は、スマートフォン（ｓｍａｒｔ  ｐｈｏｎｅ）の発達とあいまって、無線通話機能は単なる機能の一部に過ぎず、インターネット、アプリケーション、テレビ（ＴＶ）、ナビゲーション、ソーシャル・ネットワーキング・サービス（ＳＮＳ：Ｓｏｃｉａｌ  Ｎｅｔｗｏｒｋｉｎｇ  Ｓｅｒｖｉｃｅ）などの多種多様な機能を行うことを主たる目的としている。
【０００３】
この理由から、スマートフォンの多種多様な機能を便利に使用するためにスマートフォンのディスプレイ部が拡大され、大型化が進み、インターネット速度、音声、動作、瞳の認識などの高速で発展する技術力でユーザーがより便利にスマートフォン端末を使用できるようにし、市場では企業間の激しい競争をして多種多様な機能を追加したスマートフォン端末がいち早く上市されている。
【０００４】
しかしながら、スマートフォンの多種多様な機能を実現するためにディスプレイ部が拡大され、これにより、スマートフォン端末の大型化が進むことに伴い、散歩、運動などをするために軽い装いに衣替えする場合に携帯し難く、盗難および紛失の問題が発生する。また、スマートフォン端末をカバンなどに入れて所持する場合には、受信や発信通話をしたりメッセージ機能を使用したりするためにスマートフォン端末を取り出して使用せねばならないという不便さがあり、カバンに入れて所持するスマートフォン端末の振動やベル音を聞き逃して電話およびメッセージを受信することができないという問題がある。
【０００５】
このような問題を解決するために、身体に取り付け可能にする技術、すなわち、ウェアラブル（ｗｅａｒａｂｌｅ）技術が開発されている。このような従来の技術の例としては、「帯型携帯端末」（例えば、下記の特許文献１参照）、「ブレスレットに変形可能な携帯端末」（例えば、下記の特許文献２参照）、「身体取り付け型補助モバイル機器アセンブリ」（例えば、下記の特許文献３参照）が提示されている。これらの従来の技術は、ウェアラブル機器、すなわち、補助モバイル機器を腕時計、ネックレスなどの形で携帯することになる。
【先行技術文献】
【特許文献】
【０００６】
【特許文献１】大韓民国公開特許第１０−２００９−００４６３０６号
【特許文献２】大韓民国公開特許第１０−２０１２−００８３８０４号
【特許文献３】大韓民国公開特許第１０−２０１３−００５４３０９号
【発明の概要】
【発明が解決しようとする課題】
【０００７】
本発明の目的は、圧電音響素子および圧電振動素子の少なくともいずれか一方として利用することのできる圧電素子を提供することである。
【０００８】
本発明の他の目的は、印加される信号に基づいて、圧電音響素子および圧電振動素子の少なくともいずれか一方として働くことから、電子機器に取り付けられて音響および振動を両方とも発生することのできる圧電素子を提供することである。
【０００９】
本発明のさらに他の目的は、圧電音響素子および圧電振動素子の少なくともいずれか一方として利用可能な圧電素子を取り付けて圧電素子が占める面積を減らすことのできる電子機器を提供することである。
【課題を解決するための手段】
【００１０】
本発明の一態様による圧電素子は、第１の圧電板と、前記第１の圧電板の少なくとも一つの領域と接触する少なくとも１枚の第２の圧電板と、を備え、前記第１および第２の圧電板は、互いに異なる共振周波数を有する。
【００１１】
好ましくは、前記第１および第２の圧電板は、互いに異なる形状を呈する。
【００１２】
また、好ましくは、前記第１の圧電板は、中央領域が中空の枠状に設けられる。
【００１３】
さらに、好ましくは、前記第２の圧電板は、前記第１の圧電板の少なくとも一つの領域と接触して前記第１の圧電板の内側領域に設けられる。
【００１４】
さらに、好ましくは、前記第２の圧電板は、所定の領域に突出部が形成され、前記突出部が前記第１の圧電板の少なくとも一つの領域と接触される。
【００１５】
さらに、好ましくは、前記圧電素子は、前記第１の圧電板の所定の領域に設けられるダミー板をさらに備え、前記第２の圧電板が前記ダミー板と連結される。
【００１６】
さらに、好ましくは、前記圧電素子は、前記第１および第２の圧電板の少なくとも一つの領域に設けられるロードをさらに備える。
【００１７】
さらに、好ましくは、前記圧電素子は、前記第１の圧電板と前記第２の圧電板との間に設けられる振動板をさらに備える。
【００１８】
本発明の他の態様による電子機器は、第１の圧電板と、前記第１の圧電板の少なくとも一つの領域と接触する少なくとも１枚の第２の圧電板と、を備え、前記第１および第２の圧電板は、互いに異なる共振周波数を有する圧電素子を備え、前記第１および第２の圧電板に印加される信号に基づいて、圧電音響素子および圧電振動素子の少なくともいずれか一方として働く。
【００１９】
好ましくは、前記電子機器は、移動端末本体から隔てられて移動端末の補助機能を行い、且つ、身体に取り付け可能である。
【００２０】
また、好ましくは、前記第１および第２の圧電板は、互いに異なる形状を呈する。
【００２１】
さらに、好ましくは、前記第１の圧電板は、所定の枠状に設けられ、前記第２の圧電板は、前記第１の圧電板の少なくとも一つの領域から前記第１の圧電板の内側領域に形成される。
【００２２】
さらに、好ましくは、前記電子機器は、前記第１および第２の圧電板の少なくとも一つの領域に設けられるロードをさらに備える。
【００２３】
さらに、好ましくは、前記電子機器は、前記第１および第２の圧電板の間に設けられる振動板をさらに備える。
【発明の効果】
【００２４】
本発明の実施形態による圧電素子は、互いに異なる共振周波数を有する少なくとも２枚以上の圧電板を備える。このような本発明の実施形態による圧電素子は、補助モバイル機器などの電子機器内に設けられて電子機器から供給される信号に基づいて圧電音響素子および圧電振動素子の少なくともいずれか一方として働く。このため、本発明による圧電素子を補助モバイル機器などに適用することにより、音響素子および振動素子をそれぞれ別々に適用する従来品に比べて補助モバイル機器に占める面積を減らすことができ、これにより、補助モバイル機器の小型化および軽量化を図ることができる。なお、本発明の圧電素子は、接点の構造、形状など変形したり、ロード、振動板などを適用したりして共振周波数を調節することができる。
【図面の簡単な説明】
【００２５】
【図１】本発明の一実施形態による圧電素子の斜視図である。
【図２】本発明の他の実施形態による圧電素子の斜視図である。
【図３】本発明の他の実施形態による圧電素子の斜視図である。
【図４】本発明の他の実施形態による圧電素子の斜視図である。
【図５】本発明の様々な変形例による圧電素子の平面図である。
【図６】本発明の様々な変形例による圧電素子の平面図である。
【図７】本発明の様々な変形例による圧電素子の平面図である。
【図８】本発明の様々な変形例による圧電素子の平面図である。
【図９】通常の圧電素子の音圧特性を示すグラフである。
【図１０】本発明による圧電素子の音圧特性を示すグラフである。
【図１１】本発明による圧電素子の振動特性を示すグラフである。
【発明を実施するための形態】
【００２６】
以下、添付図面に基づき、本発明の実施形態を詳述する。しかしながら、本発明は、後述する実施形態に何ら限定されるものではなく、互いに異なる種々の形態で実現される。単に、これらの実施形態は、本発明の開示を完全たるものにし、本発明の属する技術の分野における通常の知識を有する者に発明の範囲を完全に知らせるために提供されるものである。
【００２７】
図１は、本発明の一実施形態による圧電素子の斜視図である。
【００２８】
図１を参照すると、本発明の一実施形態による圧電素子は、第１の圧電板１１０と、第１の圧電板１１０の少なくとも一つの領域と接触して設けられる第２の圧電板１２０と、を備える。ここで、第１および第２の圧電板１１０、１２０は互いに異なる形状に設けられ、共振周波数が互いに異なる。
【００２９】
第１の圧電板１１０は、所定の幅を有し、且つ、内部が中空である矩形枠状に設けられる。もちろん、第１の圧電板１１０は、矩形枠状に加えて、正方形、円形、長円形、多角形など様々な形状に設けられてもよい。このような第１の圧電板１１０は、基板と、基板が少なくとも一方の面に形成される少なくとも一つの圧電層と、を備える。例えば、第１の圧電板１１０は、基板の両面に圧電層が形成されたバイモルフタイプに形成されてもよく、基板の一方の面に圧電層が形成されたユニモルフタイプに形成されてもよい。圧電層は、少なくとも１層が積み重ねられて形成されるが、好ましくは、複数の圧電層が積み重ねられて形成される。また、圧電層の上部および下部にはそれぞれ電極が形成される。すなわち、複数の圧電層と複数の電極が交互に積み重ねられて第１の圧電板１１０が実現される。ここで、圧電層は、例えば、ＰＺＴ（Ｐｂ、Ｚｒ、Ｔｉ）、ＮＫＮ（Ｎａ、Ｋ、Ｎｂ）、ＢＮＴ（Ｂｉ、Ｎａ、Ｔｉ）系の圧電物質を用いて形成する。また、圧電層は、互いに異なる方向または同じ方向に分極されて積み重ねられて形成される。すなわち、基板の一方の面の上に複数の圧電層が形成される場合、各圧電層は、互いに反対方向または同じ方向の分極が交互に形成される。一方、基板は、圧電層が積み重ねられた構造を維持しながら振動が発生可能な特性を有する物質を用いて製作するが、例えば、金属、プラスチックなどが使用可能である。ところが、第１の圧電板１１０は、圧電層とは異なる素材の基板を用いなくてもよい。すなわち、第１の圧電板１１０は、中心部に分極されていない圧電層が設けられ、その上部および下部に互いに異なる方向に分極された複数の圧電層が積み重ねられて形成される。一方、第１の圧電板１１０の少なくとも一つの領域には、駆動信号が印加される電極パターン（図示せず）が形成される。例えば、電極パターンは、第１の圧電板１１０の上部面または下部面の周縁部に設けられる。電極パターンは互いに隔てられて少なくとも２以上形成され、連結端子（図示せず）と連結されてこれを介して電子機器、例えば、補助モバイル機器に連結される。このような第１の圧電板１１０は、電子機器を介して印加される信号、すなわち、交流電源に応じて圧電音響素子または圧電振動素子として駆動される。
【００３０】
第２の圧電板１２０は、第１の圧電板１１０とは異なる形状に製作されて第１の圧電板１１０の少なくとも一つの領域と接触する。このとき、第１および第２の圧電板１１０、１２０は、直接的に接触する。例えば、第２の圧電板１２０は、所定の幅および長さを有するバー状に設けられ、第１の圧電板１１０の一つの領域と接触して枠状の第１の圧電板１１０内の空間に設けられる。すなわち、第１の圧電板１１０が対向する両長辺および両短辺を有する略矩形枠状に設けられ、第２の圧電板１２０が第１の圧電板１１０の少なくとも一つの領域と接触して第１の圧電板１１０の内側に設けられる。ここで、第２の圧電板１２０の厚さは、第１の圧電板１１０の厚さと等しくてもよく、第１の圧電板１１０の厚さとは異なってもよい。また、第２の圧電板１２０は、第１の圧電板１１０と同じ工程により形成された後に所定の領域が切欠されて製作されてもよく、互いに異なる工程により形成された後に貼り合わせられて製作されてもよい。すなわち、略矩形板から第１の圧電板１１０と第２の圧電板１２０との間の領域が切欠されて圧電素子が実現され、これにより、第１および第２の圧電板１１０、１２０の厚さが等しい。このため、第１および第２の圧電板１１０、１２０は、接着剤などがこれらの間に設けられずに直接的に接触して形成される。さらに、枠状の第１の圧電板１１０を形成した後に、第１の圧電板１１０上の少なくとも一つの領域にバー状に形成された第２の圧電板１２０を貼り付けて第１の圧電板１１０内に第２の圧電板１２０が設けられた圧電素子を製作する。このため、第１および第２の圧電板１１０、１２０は、接着剤を間に挟んで貼り合わせられる。一方、第１の圧電板１１０と第２の圧電板１２０との間の空間の面積および第２の圧電板１２０の面積は、５：１〜１：５の割合を有する。第１の圧電板１１０と第２の圧電板１２０との間の空間の面積および第２の圧電板１２０の面積間の割合を調節することにより、圧電素子の共振周波数が調節される。このような第２の圧電板１２０は、基板と、基板の少なくとも一方の面に形成される圧電層と、を備える。すなわち、第２の圧電板１２０は、第１の圧電板１１０と同じ積層構造に設けられる。例えば、第２の圧電板１２０は、基板の両面に圧電層が形成されたバイモルフタイプに形成されてもよく、基板の一方の面に圧電層が形成されたユニモルフタイプに形成されてもよい。圧電層は、少なくとも１層が積み重ねられて形成されるが、好ましくは、複数の圧電層が積み重ねられて形成される。また、圧電層の上部および下部にはそれぞれ電極が形成される。すなわち、複数の圧電層と複数の電極が積み重ねられて第２の圧電板１２０が実現される。さらに、圧電層は、互いに異なる方向または同じ方向に分極されて積み重ねられて形成される。すなわち、基板の一方の面の上に複数の圧電層が形成される場合、各圧電層は、互いに反対方向または同じ方向の分極が交互に形成される。一方、基板は、圧電層が積み重ねられた構造を維持しながら振動が発生可能な特性を有する物質を用いて製作するが、例えば、金属、プラスチックなどが使用可能である。ところが、第２の圧電板１２０は、圧電層とは異なる素材の基板を用いなくてもよい。すなわち、第２の圧電板１２０は、中心部に分極されていない圧電層が設けられ、その上部および下部に互いに異なる方向に分極された複数の圧電層が積み重ねられて形成される。一方、第２の圧電板１２０の所定の領域、例えば、第１の圧電板１１０と重なり合う領域の上部面には駆動信号が印加される電極パターン（図示せず）が形成される。電極パターンは、互いに隔てられて少なくとも２以上形成され、連結端子（図示せず）と連結されてこれを介して電子機器、例えば、補助モバイル機器に連結される。さらにまた、第２の圧電板１２０に加えて、第１の圧電板１１０の所定の領域にも電極パターン（図示せず）が形成され、連結端子（図示せず）と連結されてこれを介して電子機器、例えば、補助モバイル機器に連結される。このような第２の圧電板１２０は、電子機器を介して印加される信号、すなわち、交流電源に応じて圧電音響素子または圧電振動素子として駆動される。
【００３１】
上述したように、本発明の一実施形態による圧電素子は、略枠状の第１の圧電板１１０と、第１の圧電板１１０の少なくとも一つの領域と接触して第１の圧電板１１０内の空間に設けられる第２の圧電板１２０と、を備える。すなわち、本発明の圧電素子は、少なくとも２枚以上の圧電板１１０、１２０が少なくとも一つの接点を有するように設けられる。このとき、少なくとも２枚以上の圧電板１１０、１２０は、互いに異なる形状を有し、互いに異なる共振周波数を有する。このような圧電素子は、電子機器、例えば、スマートフォンに設けられるか、あるいは、スマートフォンから隔てられてスマートフォンの補助機能を行う補助モバイル機器、すなわち、身体に取り付け可能なウェアラブル機器内に設けられ、電子機器から供給される信号に基づいて、圧電スピーカーおよび圧電アクチュエーターの少なくともいずれか一方として働く。すなわち、圧電音響素子または圧電振動素子として働くか、あるいは、圧電音響素子および圧電振動素子として同時に働く。このため、本発明の一実施形態は、互いに異なる形状および共振周波数を有する第１および第２の圧電板１１０、１２０が他の圧電板の少なくとも１つの領域と接触して設けられ、補助モバイル機器などの電子機器に適用されて音響および振動を発生させる複合素子である。
【００３２】
図２乃至図４は、本発明の他の実施形態による圧電素子の分解斜視図である。
【００３３】
図２を参照すると、本発明の他の実施形態による圧電素子は、略矩形枠状を呈する第１の圧電板１１０と、第１の圧電板１１０の２つの領域と接触して第１の圧電板１１０内の空間に設けられる第２の圧電板１２０と、を備える。すなわち、第２の圧電板１２０は、第１の圧電板１１０の間の空間に設けられ、第２の圧電板１２０の長辺の中央部から２つの領域の突出部１２２が形成されて第１の圧電板１１０の長辺と接触する。図１の一実施形態と比較して、図１の一実施形態では、第２の圧電板１２０の一方の短辺が第１の圧電板１１０と接触するが、図２の他の実施形態では、第２の圧電板１２０の長辺の２つの領域が第１の圧電板１１０と接触する。
【００３４】
図３を参照すると、本発明のさらに他の実施形態による圧電素子は、略矩形枠状を呈する第１の圧電板１１０と、第１の圧電板１１０の一つの領域と接触して第１の圧電板１１０内の空間に設けられる第２ａおよび第２ｂの圧電板１２０ａ、１２０ｂと、を備える。すなわち、第２ａおよび第２ｂの圧電板１２０ａ、１２０ｂは、第１の圧電板１１０の長辺の中央部から互いに隔てられて設けられ、第２ａおよび第２ｂの圧電板１２０ａ、１２０ｂの所定の領域、例えば、第１の圧電板１１０の長辺の中央部に対応する領域から２つの領域の突出部１２２ａ、１２２ｂが形成されて第１の圧電板１１０と接触する。図３のさらに他の実施形態は、図２の他の実施形態と比較して、第１の圧電板１１０と接触する領域の中央部が切欠されて第２ａおよび第２ｂの圧電板１２０ａ、１２０ｂが形成される。
【００３５】
図４を参照すると、本発明のさらに他の実施形態による圧電素子は、略円形の枠状を呈する第１の圧電板１１０と、第１の圧電板１１０の一つの領域と接触して第１の圧電板１１０内の空間に設けられる第２の圧電板１２０と、を備える。すなわち、本発明の圧電素子は、円形に設けられる。また、第２の圧電板１２０は円形に設けられ、第２の圧電板１２０の一つの領域が延びて第１の圧電板１１０の所定の領域と接触する。もちろん、第１の圧電板１１０および第２の圧電板１２０が互いに異なる形状を呈してもよい。例えば、第１の圧電板１１０が円形に設けられ、第２の圧電板１２０が四角形に設けられてもよい。
【００３６】
一方、本発明の圧電素子は、形状を様々に変更することができ、これにより、様々な周波数特性が得られる。このような本発明の様々な変形例による圧電素子を図５に示す。
【００３７】
図５（ａ）に示すように、圧電素子は、略矩形枠状を呈する第１の圧電板１１０と、第１の圧電板１１０の一方の短辺と接触して第１の圧電板１１０の長辺方向に第１の圧電板１１０の空間内に設けられる第２の圧電板１２０と、を備える。また、第１の圧電板１１０の上面に少なくとも２つの電極パターン１１１、１１２が形成され、第２の圧電板１２０の上面に少なくとも２つの電極パターン１２１、１２２が形成される。第１の圧電板１１０の電極パターン１１１、１１２には互いに異なる極性の交流電源が供給され、第２の圧電板１２０の電極パターン１２１、１２２にも互いに異なる極性の交流電源が供給される。
【００３８】
図５（ｂ）に示すように、圧電素子は、略矩形枠状を呈する第１の圧電板１１０と、第１の圧電板１１０の対向する両長辺の所定の領域の間に設けられるダミー板１１５と、ダミー板１１５の上と接触し、第１の圧電板１１０の長辺方向に設けられる第２の圧電板１２０と、を備える。ダミー板１１５は、例えば、対向する両長辺の中央部の間に所定の幅をもって形成される。また、ダミー板１１５は、第１の圧電板１１０と同じ積層構造に形成されて印加される電圧に応じて振動する。しかしながら、ダミー板１１５は、分極されていないため振動しなくてもよい。ここで、ダミー板１１５は、第１の圧電板１１０の幅に等しい幅をもって形成されてもよく、それよりも広い幅または狭い幅をもって形成されてもよい。さらに、第２の圧電板１２０は、中央部がダミー板１１５の上と接触する。すなわち、第２の圧電板１２０は、中央部がダミー板１１５の上と接触して第１の圧電板１１０の長辺方向に第１の圧電板１１０内の領域に設けられる。加えて、第１の圧電板１１０の上面に少なくとも２つの電極パターン１１１、１１２が形成され、第２の圧電板１２０の上面に少なくとも２つの電極パターン１２１、１２２が形成されて互いに異なる極性の交流電源がそれぞれ供給される。
【００３９】
図５（ｃ）に示すように、圧電素子は、略矩形枠状を呈する第１の圧電板１１０と、第１の圧電板１１０の対向する両長辺の所定の領域、例えば、中央部の間に設けられるダミー板１１５と、ダミー板１１５から互いに反対方向に設けられる第２ａおよび第２ｂの圧電板１２０ａ、１２０ｂと、を備える。すなわち、第２ａおよび第２ｂの圧電板１２０ａ、１２０ｂは、ダミー板１１５の両側面または上面に隔てられて接触して第１の圧電板１１０の長辺方向にそれぞれ形成される。また、第２ａの圧電板１２０ａの上面には少なくとも２つの電極パターン１２１ａ、１２２ａが形成され、第２ｂの圧電板１２０ｂの上面にも少なくとも２つの電極パターン１２１ｂ、１２２ｂが形成される。それぞれの電極パターンには互いに異なる極性の交流電源がそれぞれ供給される。さらに、第１の圧電板１１０の上面に少なくとも２つの電極パターン１１１、１１２が形成されて互いに異なる極性の交流電源がそれぞれ供給される。
【００４０】
図５（ｄ）に示すように、圧電素子は、略矩形枠状を呈する第１の圧電板１１０と、第１の圧電板１１０の対向する両短辺から第１の圧電板１１０の長辺方向に沿って延設される第２ａおよび第２ｂの圧電板１２０ａ、１２０ｂと、を備える。すなわち、第２ａおよび第２ｂの圧電板１２０ａ、１２０ｂが第１の圧電板１１０の対向する両短辺の上面または側面から第１の圧電板１１０の長辺方向に形成され、第１の圧電板１１０内の中央領域から所定の間隔だけ隔てられて設けられる。ここで、第２ａの圧電板１２０ａの上面には少なくとも２つの電極パターン１２１ａ、１２２ａが形成され、第２ｂの圧電板１２０ｂの上面にも少なくとも２つの電極パターン１２１ｂ、１２２ｂが形成される。それぞれの電極パターンには、互いに異なる極性の交流電源がそれぞれ供給される。また、第１の圧電板１１０の上面に少なくとも２つの電極パターン１１１、１１２が形成されて互いに異なる極性の交流電源がそれぞれ供給される。
【００４１】
また、本発明の圧電素子は、少なくとも一つの領域にロード（ｌｏａｄ）を設けて振動力を増大させ、これにより、周波数特性が様々に変更される。ロードは、その重さおよび位置、形状が様々に変形可能であり、これにより、様々な振動力が得られる。このような本発明の様々な変形例による圧電素子を図６に示す。
【００４２】
図６（ａ）に示すように、圧電素子は、略矩形枠状を呈する第１の圧電板１１０と、第１の圧電板１１０の一方の短辺の所定の領域と接触して第１の圧電板１１０の長辺方向に設けられる第２の圧電板１２０と、を備え、第１の圧電板１１０と接触していない第１の圧電板１２０の一方の端部にロード１５０が設けられる。
【００４３】
図６（ｂ）に示すように、圧電素子は、略矩形枠状を呈し、対向する一方の長辺および他方の長辺の間にダミー板１１５が形成された第１の圧電板１１０と、ダミー板１１５の上と接触して第１の圧電板１１０の長辺方向に設けられる第２の圧電板１２０と、第２の圧電板１２０の対向する両端部にそれぞれ設けられるロード１５０ａ、１５０ｂと、を備える。すなわち、ロード１５０ａは、第２の圧電板１２０の交流電源が供給される電極パターン１２１、１２２の上に設けられる。
【００４４】
図６（ｃ）に示すように、圧電素子は、略矩形枠状を呈し、対向する一方の長辺および他方の長辺の間にダミー板１１５が形成された第１の圧電板１１０と、ダミー板１１５の両側面と接触して第１の圧電板１１０の長辺方向に設けられる第２ａおよび第２ｂの圧電板１２０ａ、１２０ｂと、第２ａおよび第２ｂの圧電板１２０ａ、１２０ｂのダミー板１１５と接触していない対向する両端部に形成されるロード１５０ａ、１５０ｂと、を備える。また、第２ａの圧電板１２０ａの上面には少なくとも２つの電極パターン１２１ａ、１２２ａが形成され、第２ｂの圧電板１２０ｂの上面にも少なくとも２つの電極パターン１２１ｂ、１２２ｂが形成される。すなわち、ロード１５０ａ、１５０ｂは、第２ａおよび第２ｂの圧電板１２０ａ、１２０ｂの交流電源が供給される電極パターン１２１ａ、１２２ａ、１２１ｂ、１２２ｂの上に設けられる。さらに、第１の圧電板１１０の上面に少なくとも２つの電極パターン１１１、１１２が形成され、それぞれの電極パターンには互いに異なる極性の交流電源がそれぞれ供給される。
【００４５】
図６（ｄ）に示すように、圧電素子は、略矩形枠状を呈する第１の圧電板１１０と、第１の圧電板１１０の対向する両短辺から第１の圧電板１１０の長辺方向に形成され、第１の圧電板１１０内の中央領域から所定の間隔を隔てて隔設される第２ａおよび第２ｂの圧電板１２０ａ、１２０ｂと、第２ａおよび第２ｂの圧電板１２０ａ、１２０ｂの端部に形成されるロード１５０ａ、１５０ｂと、を備える。また、第２ａの圧電板１２０ａの上面には少なくとも２つの電極パターン１２１ａ、１２２ａが形成され、第２ｂの圧電板１２０ｂの上面にも少なくとも２つの電極パターン１２１ｂ、１２２ｂが形成される。すなわち、ロード１５０ａ、１５０ｂは、第２ａおよび第２ｂの圧電板１２０ａ、１２０ｂの交流電源が供給されていない領域に設けられる。さらに、第１の圧電板１１０の上面に少なくとも２つの電極パターン１１１、１１２が形成され、それぞれの電極パターンには互いに異なる極性の交流電源が供給される。
【００４６】
また、ロードは、第２の圧電板１２０だけではなく、第１の圧電板１１０の所定の領域にも形成されるが、第１および第２の圧電板１１０、１２０にロードが形成された圧電素子を図７に示す。
【００４７】
図７（ａ）に示すように、圧電素子は、略矩形枠状を呈する第１の圧電板１１０と、第１の圧電板１１０の一方の短辺の所定の領域に設けられて第１の圧電板１１０内の空間に第１の圧電板１１０の長辺方向に設けられる第２の圧電板１２０と、を備え、第２の圧電板１２０の第１の圧電板１１０と接触していない一方の端部にロード１５０が設けられ、第１の圧電板１１０の隅領域に複数のロード１５１、１５２、１５３、１５４が設けられる。
【００４８】
図７（ｂ）に示すように、圧電素子は、略矩形枠状を呈し、対向する一方の長辺および他方の長辺の間にダミー板１１５が形成される第１の圧電板１１０と、ダミー板１１５の上と接触して第１の圧電板１１０の長辺方向に第１の圧電板１１０内の領域に形成される第２の圧電板１２０と、第２の圧電板１２０の両端部に設けられるロード１５０ａ、１５０ｂと、第１の圧電板１１０の隅領域に設けられる複数のロード１５１、１５２、１５３、１５４と、を備える。
【００４９】
図７（ｃ）に示すように、圧電素子は、略矩形枠状を呈し、対向する一方の長辺および他方の長辺の間にダミー板１１５が形成される第１の圧電板１１０と、ダミー板１１５の両側面と接触して第１の圧電板１１０の長辺方向に第１の圧電板１１０内の領域に形成される第２ａおよび第２ｂの圧電板１２０ａ、１２０ｂと、第２ａおよび第２ｂの圧電板１２０ａ、１２０ｂの端部に設けられるロード１５０ａ、１５０ｂと、第１の圧電板１１０の隅領域に設けられる複数のロード１５１、１５２、１５３、１５４と、を備える。
【００５０】
図７（ｄ）に示すように、圧電素子は、略矩形枠状を呈する第１の圧電板１１０と、第１の圧電板１１０の対向する両短辺から第１の圧電板１１０の長辺方向に形成され、第１の圧電板１１０内の中央領域から所定の間隔を隔てて隔設される第２ａおよび第２ｂの圧電板１２０ａ、１２０ｂと、第２ａおよび第２ｂの圧電板１２０ａ、１２０ｂの端部に設けられるロード１５０ａ、１５０ｂと、第１の圧電板１１０の隅領域に設けられる複数のロード１５１、１５２、１５３、１５４と、を備える。
【００５１】
一方、本発明の圧電素子は、少なくとも一つの領域に振動板を設けて振動力を増加させ、これにより、周波数特性が様々に変更される。振動板は、ポリマー、金属、シリコンなどの材質を用いて形成し、振動板のサイズを多様化させることができ、これにより、様々な振動力が得られる。このような本発明の様々な変形例による圧電素子を図８に示す。
【００５２】
図８（ａ）に示すように、圧電素子は、略矩形枠状を呈する第１の圧電板１１０と、第１の圧電板１１０の一方の短辺の所定の領域に設けられて第１の圧電板１１０内に第１の圧電板１１０の長辺方向に設けられる第２の圧電板１２０と、を備え、第２の圧電板１２０の第１の圧電板１１０と接触していない一方の端部と第１の圧電板１１０の短辺との間に設けられる振動板１６０を備える。
【００５３】
図８（ｂ）に示すように、圧電素子は、略矩形枠状を呈し、対向する一方の長辺および他方の長辺の間にダミー板１１５が形成される第１の圧電板１１０と、ダミー板１１５の上と接触して第１の圧電板１１０の長辺方向に第１の圧電板１１０内の領域に形成される第２の圧電板１２０と、第２の圧電板１２０の両端部と第１の圧電板１１０との間に設けられる振動板１６０ａ、１６０ｂと、を備える。すなわち、振動板１６０ａ、１６０ｂは、第２の圧電板１２０の各端部と第１の圧電板１１０とを繋ぎ合わせるように設けられる。
【００５４】
図８（ｃ）に示すように、圧電素子は、略矩形枠状を呈し、対向する一方の長辺および他方の長辺の間にダミー板１１５が形成される第１の圧電板１１０と、ダミー板１１５の両側面と接触して第１の圧電板１１０の長辺方向に第１の圧電板１１０内の領域に形成される第２ａおよび第２ｂの圧電板１２０ａ、１２０ｂと、第２ａおよび第２ｂの圧電板１２０ａ、１２０ｂの端部と第１の圧電板１１０との間に設けられるそれぞれの振動板１６０ａ、１６０ｂと、を備える。
【００５５】
図８（ｄ）に示すように、圧電素子は、略矩形枠状を呈する第１の圧電板１１０と、第１の圧電板１１０の対向する両短辺から第１の圧電板１１０の長辺方向に形成され、第１の圧電板１１０内の中央領域から所定の間隔を隔てて隔設される第２ａおよび第２ｂの圧電板１２０ａ、１２０ｂと、第２ａおよび第２ｂの圧電板１２０ａ、１２０ｂの端部の間に設けられる振動板１６０と、を備える。すなわち、振動板１６０は、第２ａおよび第２ｂの圧電板１２０、１２０ｂの第１の圧電板１１０と接触していないそれぞれの端部の間にこれらを繋ぎ合わせるように設けられる。
【００５６】
図９は、従来の圧電素子の音圧特性を示すグラフであり、図１０は、本発明の圧電素子の音圧特性を示すグラフである。すなわち、従来の圧電素子は、本発明の第１の圧電板の内部が充填された形状であって、所定の厚さを有する略矩形板状を呈し、本発明の圧電素子は、第１および第２の圧電板が貼り合わせられた形状を有する。従来の圧電素子は、図９に示すように、共振周波数が１．１２ｋＨｚであり、約８２ｄＢの音圧特性を示す。しかしながら、第１および第２の圧電板が貼り合わせられた本発明による圧電素子は、図１０に示すように、共振周波数が１５０Ｈｚであり、約６０ｄＢの音圧特性を示す。また、本発明の圧電素子は、２１０Ｈｚおよび５００Ｈｚにおいても共振周波数が発生する。このため、互いに異なる共振周波数を有する少なくとも２枚以上の圧電板を貼り合わせることにより、少なくとも２以上の共振周波数が発生し、従来よりも低い数百Ｈｚの共振周波数が得られる。このため、補助モバイル機器などの電子機器に音響素子として使用可能である。また、図１１は、本発明の圧電素子の振動特性を示すグラフであり、２２８Ｈｚの共振周波数において約２.２Ｇの出力を示す。このため、本発明の圧電素子は、補助モバイル機器などの電子機器において振動素子として使用可能である。要するに、本発明の圧電素子は、補助モバイル機器などの電子機器において音響素子および振動素子として選択的に使用可能である。
【００５７】
本発明は、上述した実施形態に何ら限定されるものではなく、互いに異なる種々の形態で実現可能である。すなわち、これらの実施形態は、本発明の開示を完全たるものにし、本発明の属する技術の分野における通常の知識を有する者に発明の範囲を完全に知らせるために提供されるものであり、本発明の範囲は、本願の特許請求の範囲により理解されるべきである。
【符号の説明】
【００５８】
１１０：第１の圧電板        
１２０：第２の圧電板
１５０：ロード                     
１６０：振動板
【図１】
2016046802.tif 000003
【図２】
2016046802.tif 000004
【図３】
2016046802.tif 000005
【図４】
2016046802.tif 000006
【図５】
2016046802.tif 000007
【図６】
2016046802.tif 000008
【図７】
2016046802.tif 000009
【図８】
2016046802.tif 000010
【図９】
2016046802.tif 000011
【図１０】
2016046802.tif 000012
【図１１】
2016046802.tif 000013